(57)【要約】【解決手段】刃物を載置して保持する載置台を外カバー内に収容し、刃板１６を載置台の載置面１３との間で挟持し得る保持体３８を位置決めする位置決め部１４を備えている。位置決め部１４は、載置台に設けられ、厚み方向で刃板１６から離れる向きへ保持体３８を載置台に対し離脱可能に支持するとともに、長手方向Ｘへ保持体３８が移動するのを規制する。外カバーは、幅方向Ｙへ保持体３８が移動するのを規制する。保持体３８を規制する部分（長手方向Ｘの規制部分と幅方向Ｙの規制部分と厚み方向の規制部分）を載置台と外カバーとに振り分けたので、外カバーの形態を簡略化することができる。【効果】外カバーとして各種形態を採用することが可能になる。【選択図】図２
2004292002.tif 000002
【特許請求の範囲】
【請求項１】
刃物の刃板における厚み方向の両側面のうち一方の側面を表側の載置面に対向させた状態で刃物を載置して保持する載置台を外カバー内に収容した刃物包装ケースにおいて、この刃板の他方の側面に対向させた状態で刃板を前記載置台の載置面との間で挟持し得る保持体を位置決めする位置決め部を備え、
前記位置決め部は、載置台に設けられ、前記厚み方向で刃板の側面から離れる向きへ前記保持体を載置台に対し離脱可能に支持するとともに、刃板の腹側に形成した刃縁の延設方向に沿った長手方向へ前記保持体が移動するのを規制し、
前記外カバーは、刃板の腹側とその腹側に対し反対側になる刃板の背側とを結ぶ方向に沿った幅方向へ前記保持体が移動するのを規制するとともに、前記厚み方向で刃板の側面から離れる向きへ前記保持体が移動するのを規制する
ことを特徴とする刃物包装ケース。
【請求項２】
前記載置台の位置決め部は前記幅方向の両側で載置台に形成した支持溝部であって、この両支持溝部においては、前記保持体が挿入される支持空間をあけて前記長手方向の両側で相対向して形成した支持壁部を有し、この両支持壁部により長手方向への前記保持体の移動を規制し、この支持空間は、前記保持体が載置台に対し着脱し得るように前記厚み方向で刃板の側面から離れる向きへ開放されているとともに、前記保持体が幅方向へ移動し得るように幅方向の両側へ開放され、
前記外カバーは前記厚み方向の両側で相対向する表裏両壁と前記幅方向の両側で相対向する両側壁とにより筒状をなし、この外カバーの両側壁により、前記保持体が幅方向へ移動するのを規制するとともに、この外カバーの表裏両壁のうち載置台の裏側が面する裏壁に対し反対側になる表壁により、前記保持体が厚み方向で刃板の側面から離れる向きへ移動するのを規制する
ことを特徴とする請求項１に記載の刃物包装ケース。
【請求項３】
前記保持体は、前記各支持溝部の支持空間に挿入されて刃板における他方の側面を押さえる主体部と、この主体部における長手方向両側に形成した鍔部とを有し、この両鍔部は前記各支持溝部の両支持壁部に載せられた状態でこの両支持壁部と前記外カバーの表壁とにより挟持されることを特徴とする請求項２に記載の刃物包装ケース。
【請求項４】
刃物の刃板における厚み方向の両側面のうち一方の側面を表側の載置面に対向させた状態で刃物を載置して保持する載置台を外カバー内に収容した刃物包装ケースにおいて、この刃板の他方の側面に対向させた状態で刃板を前記載置台の載置面との間で挟持し得る保持体を位置決めする位置決め部を備え、
前記位置決め部は、載置台に設けられ、前記厚み方向で刃板の側面から離れる向きへ前記保持体を載置台に対し離脱可能に支持するとともに、刃板の腹側に形成した刃縁の延設方向に沿った長手方向と、刃板の腹側とその腹側に対し反対側になる刃板の背側とを結ぶ方向に沿った幅方向とへ前記保持体が移動するのを規制し、
前記外カバーは、前記厚み方向で刃板の側面から離れる向きへ前記保持体が移動するのを規制する
ことを特徴とする刃物包装ケース。
【請求項５】
刃物の刃板における厚み方向の両側面のうち一方の側面を表側の載置面に対向させた状態で刃物を載置して保持する載置台を外カバー内に収容した刃物包装ケースにおいて、この刃板の他方の側面に対向させた状態で刃板を前記載置台の載置面との間で挟持し得る保持体を位置決めする位置決め部を備え、
この保持体には、刃縁を形成した刃板の腹側に対し反対側になる刃板の背側で刃板における他方の側面を押さえる主体部を設けるとともに、この主体部に対し隙間が生じる刃板の腹側を押さえる凸部をこの主体部に設けた
ことを特徴とする刃物包装ケース。
【請求項６】
前記刃物は前記刃板のほかにこの刃板の中子に取り付けた柄を備え、前記載置台は前記載置面のほかにこの柄を嵌め込む凹所を有し、前記載置台の位置決め部はこの凹所と載置面との境界部に形成され、前記保持体は前記刃板において中子から腹側に延びる顎部を載置面との間で挟持し得ることを特徴とする請求項１から請求項５のうちいずれかの請求項に記載の刃物包装ケース。
【発明の詳細な説明】
【０００１】
【発明の属する技術分野】
本発明は、外カバー内に収容した載置台に刃物を載せて刃物の刃板を保持体により挟持する刃物包装ケースにおいて、この保持体の位置決め構造に関するものである。
【０００２】
【従来の技術】
下記特許文献１においては、その図面に示すように、外箱２内に収容される載置台５の表側に載置された包丁６が、支持シート１０の胴体部１０ａにより挟持されている。この支持シート１０の両腕部１０ｂ，１０ｃがこの胴体部１０ａの両側から折り曲げられて載置台５の裏側に重ねられているので、載置台５から包丁６を取り出す場合には、この両腕部１０ｂ，１０ｃを載置台５の裏側から引き出さなければならず、包丁６の取り出し作業が面倒であった。そこで、載置台５から包丁６を簡単に取り出すことができるように、この胴体部１０ａにはミシン目状の分離部１５が形成されている。
【０００３】
下記特許文献２においては、その第１０〜１３図に示すように、外カバー（下箱１）に形成された各係合溝３４にこの両係合舌片３２が上方から係入されて保持体３０が外カバー（下箱１）に位置決めされている。外カバー（下箱１）内に収容された包丁１７が上方から保持体３０により挟持されている。この保持体３０には基板部３１の両側から係合舌片３２が折り曲げられて形成されている。外カバー（下箱１）に形成された各係合溝３４にこの両係合舌片３２が上方から係入されて保持体３０が外カバー（下箱１）に位置決めされている。この位置決めにより、刃部１７ａの厚み方向で刃部１７ａの側面から離れる上向きへ保持体３０が外カバー（下箱１）に対し離脱可能に支持されているとともに、刃部１７ａの腹側の刃縁の延設方向に沿った長手方向と、刃部１７ａの腹側と背側とを結ぶ方向に沿った幅方向とへ保持体３０が移動するのを規制する。また、外カバー（箱蓋１６）は、厚み方向で刃部１７ａの側面から離れる上向きへ保持体３０が移動するのを規制する。
【０００４】
この特許文献２では、保持体３０の両係合舌片３２を包丁１７から離間させる上向きへ移動させて各係合溝３４から抜くことにより、保持体３０を外カバー（下箱１）から離脱させて外カバー（下箱１）から包丁１７を簡単に取り出すことができる。
【０００５】
【特許文献１】
実用新案登録第３０３９７４２号公報
【特許文献２】
実開昭５６−１４１１３１号公報
【０００６】
【発明が解決しようとする課題】
しかし、上記特許文献２では、保持体３０の両係合舌片３２を位置決めする各係合溝３４が外カバー（下箱１）に形成されているため、外カバーの形態は各係合溝３４を形成し得る特定のものに制限される欠点があった。従って、上記特許文献２では、外カバーを前記下箱１と箱蓋１６とにより構成せざるを得ない。
【０００７】
この発明は、上記特許文献２の有利な点は維持すると同時に、上記特許文献２の欠点を解消して各種形態の外カバーを採用し得る刃物包装ケースを提供することを目的としている。
【０００８】
【課題を解決するための手段及び発明の効果】
後記実施形態の図面（図１〜５に示す第１実施形態、図６に示す第２実施形態、図７に示す第３実施形態、図８に示す第４実施形態、図９〜１１に示す第５実施形態）の符号を援用して本発明を説明する。
【０００９】
＊  請求項１の発明（第１，２，５実施形態に対応）
この発明にかかる刃物包装ケースは、下記のように構成されている。
この刃物包装ケースにおいては、刃物（１５）の刃板（１６）における厚み方向（Ｚ）の両側面（２０，２１，２２，２３）のうち一方の側面（２０，２２）を表側の載置面（１３）に対向させた状態で刃物（１５）を載置して保持する載置台（２）を外カバー（１）内に収容し、この刃板（１６）の他方の側面（２１，２３）に対向させた状態で刃板（１６）を前記載置台（２）の載置面（１３）との間で挟持し得る保持体（３８）を位置決めする位置決め部（１４）を備えている。
【００１０】
前記位置決め部（１４）は、載置台（２）に設けられ、前記厚み方向（Ｚ）で刃板（１６）の側面（２１，２３）から離れる向き（ＺＦ）へ前記保持体（３８）を載置台（２）に対し離脱可能に支持するとともに、刃板（１６）の腹側に形成した刃縁（２４）の延設方向に沿った長手方向（Ｘ）へ前記保持体（３８）が移動するのを規制する。
【００１１】
前記外カバー（１）は、刃板（１６）の腹側とその腹側に対し反対側になる刃板（１６）の背側とを結ぶ方向に沿った幅方向（Ｙ）へ前記保持体（３８）が移動するのを規制するとともに、前記厚み方向（Ｚ）で刃板（１６）の側面（２１，２３）から離れる向き（ＺＦ）へ前記保持体（３８）が移動するのを規制する。
【００１２】
請求項１の発明では、保持体（３８）を規制する部分（長手方向Ｘの規制部分２９，３０，３３，３４と幅方向Ｙの規制部分６，７と厚み方向Ｚの規制部分４）を載置台（２）と外カバー（１）とに振り分けたので、上記特許文献２のように外カバー（下箱１と箱蓋１６）に対しすべての規制部分を設ける場合と比較して、外カバー（１）の形態を簡略化することができる。従って、外カバー（１）として各種形態を採用することが可能になる。
【００１３】
＊  請求項２の発明（第１，２，５実施形態に対応）
この発明は、請求項１の発明を前提として下記のように構成されている。
前記載置台（２）の位置決め部（１４）は、前記幅方向（Ｙ）の両側で載置台（２）に形成した支持溝部（２７，２８）である。この両支持溝部（２７，２８）においては、前記保持体（３８）が挿入される支持空間（３２，３６）をあけて前記長手方向（Ｘ）の両側で相対向して形成した支持壁部（２９，３０，３３，３４）を有し、この両支持壁部（２９，３０，３３，３４）により長手方向（Ｘ）への前記保持体（３８）の移動を規制している。この支持空間（３２，３６）は、前記保持体（３８）が載置台（２）に対し着脱し得るように前記厚み方向（Ｚ）で刃板（１６）の側面（２１，２３）から離れる向き（ＺＦ）へ開放されているとともに、前記保持体（３８）が幅方向（Ｙ）へ移動し得るように幅方向（Ｙ）の両側へ開放されている。
【００１４】
前記外カバー（１）は前記厚み方向（Ｚ）の両側で相対向する表裏両壁（４，５）と前記幅方向（Ｙ）の両側で相対向する両側壁（６，７）とにより筒状をなしている。この外カバー（１）の両側壁（６，７）により、前記保持体（３８）が幅方向（Ｙ）へ移動するのを規制する。この外カバー（１）の表裏両壁（４，５）のうち載置台（２）の裏側が面する裏壁（５）に対し反対側になる表壁（４）により、前記保持体（３８）が厚み方向（Ｚ）で刃板（１６）の側面（２１，２３）から離れる向き（ＺＦ）へ移動するのを規制する。
【００１５】
請求項２の発明では、簡単な位置決め構造により、保持体（３８）の移動を規制することができる。
＊  請求項３の発明（第１，５実施形態に対応）
この発明は、請求項２の発明を前提として下記のように構成されている。
【００１６】
前記保持体（３８）は、前記各支持溝部（２７，２８）の支持空間（３２，３６）に挿入されて刃板（１６）における他方の側面（２１，２３）を押さえる主体部（３８）と、この主体部（３８）における長手方向（Ｘ）両側に形成した鍔部（４１，４２）とを有している。この両鍔部（４１，４２）は前記各支持溝部（２７，２８）の両支持壁部（２９，３０，３３，３４）に載せられた状態でこの両支持壁部（２９，３０，３３，３４）と前記外カバー（１）の表壁（４）とにより挟持される。
【００１７】
請求項３の発明では、両鍔部（４１，４２）に対する挟持により、保持体（３８）の移動を確実に規制することができる。
＊  請求項４の発明（第３実施形態及び第４実施形態に対応）
この発明にかかる刃物包装ケースは、下記のように構成されている。
【００１８】
この刃物包装ケースにおいては、刃物（１５）の刃板（１６）における厚み方向（Ｚ）の両側面（２０，２１，２２，２３）のうち一方の側面（２０，２２）を表側の載置面（１３）に対向させた状態で刃物（１５）を載置して保持する載置台（２）を外カバー（１）内に収容し、この刃板（１６）の他方の側面（２１，２３）に対向させた状態で刃板（１６）を前記載置台（２）の載置面（１３）との間で挟持し得る保持体（３８）を位置決めする位置決め部（１４）を備えている。
【００１９】
前記位置決め部（１４）は、載置台（２）に設けられ、前記厚み方向（Ｚ）で刃板（１６）の側面（２１，２３）から離れる向き（ＺＦ）へ前記保持体（３８）を載置台（２）に対し離脱可能に支持するとともに、刃板（１６）の腹側に形成した刃縁（２４）の延設方向に沿った長手方向（Ｘ）と、刃板（１６）の腹側とその腹側に対し反対側になる刃板（１６）の背側とを結ぶ方向に沿った幅方向（Ｙ）とへ前記保持体（３８）が移動するのを規制する。
【００２０】
前記外カバー（１）は、前記厚み方向（Ｚ）で刃板（１６）の側面（２１，２３）から離れる向き（ＺＦ）へ前記保持体（３８）が移動するのを規制する。
請求項４の発明では、保持体（３８）を規制する部分（長手方向Ｘの規制部分４８，４９，５２，５３と幅方向Ｙの規制部分４８，４９，５２，５３と厚み方向Ｚの規制部分４）を載置台（２）と外カバー（１）とに振り分けたので、上記特許文献２のように外カバー（下箱１と箱蓋１６）に対しすべての規制部分を設ける場合と比較して、外カバー（１）の形態を簡略化することができる。従って、外カバー（１）として各種形態を採用することが可能になる。
【００２１】
＊  請求項５の発明（第１〜５実施形態に対応）
この発明にかかる刃物包装ケースは、下記のように構成されている。
この刃物包装ケースにおいては、刃物（１５）の刃板（１６）における厚み方向（Ｚ）の両側面（２０，２１，２２，２３）のうち一方の側面（２０，２２）を表側の載置面（１３）に対向させた状態で刃物（１５）を載置して保持する載置台（２）を外カバー（１）内に収容し、この刃板（１６）の他方の側面（２１，２３）に対向させた状態で刃板（１６）を前記載置台（２）の載置面（１３）との間で挟持し得る保持体（３８）を位置決めする位置決め部（１４）を備えている。
【００２２】
この保持体（３８）には、刃縁（２４）を形成した刃板（１６）の腹側に対し反対側になる刃板（１６）の背側で刃板（１６）における他方の側面（２１，２３）を押さえる主体部（３９）を設けるとともに、この主体部（３９）に対し隙間（Ｓ）が生じる刃板（１６）の腹側を押さえる凸部（４７）をこの主体部（３９）に設けた。
【００２３】
請求項５の発明では、主体部（３９）の凸部（４７）により、刃物（１５）の刃板（１６）を保持体（３８）により確実に挟持することができる。
＊  請求項６の発明（第１〜５実施形態に対応）
この発明は、請求項１から請求項５のうちいずれかの請求項の発明を前提として下記のように構成されている。
【００２４】
前記刃物（１５）は、前記刃板（１６）のほかに、この刃板（１６）の中子（１８）に取り付けた柄（１９）を備えている。前記載置台（２）は、前記載置面（１３）のほかに、この柄（１９）を嵌め込む凹所（１２）を有している。前記載置台（２）の位置決め部（１４）はこの凹所（１２）と載置面（１３）との境界部に形成されている。前記保持体（３８）は前記刃板（１６）において中子（１８）から腹側に延びる顎部（２６）を載置面（１３）との間で挟持し得る。
【００２５】
請求項６の発明では、柄（１９）付近で刃板（１６）を保持体（３８）により挟持することにより、載置台（２）上で刃物（１５）を確実に保持することができる。
【００２６】
＊  第７の発明（第１，２，５実施形態に対応）
この発明は、請求項２または請求項３の発明を前提として下記のように構成されている。
【００２７】
前記刃物（１５）は、前記刃板（１６）のほかに、この刃板（１６）の中子（１８）に取り付けた柄（１９）を備えている。前記載置台（２）は、前記載置面（１３）のほかに、この柄（１９）を嵌め込む凹所（１２）を有している。
【００２８】
前記載置台（２）の位置決め部（１４）は、この凹所（１２）と載置面（１３）との境界部に形成され、刃板（１６）の背側に面する支持溝部（２８）と刃板（１６）の腹側に面する支持溝部（２７）とのほかに、腹側の支持溝部（２７）において両支持壁部（２９，３０）との間で支持空間（３２）を形成する底壁部（３１）から背側の支持溝部（２８）に向けて延びる規制壁部（３７）を有している。
【００２９】
前記刃板（１６）において中子（１８）から腹側に延びる顎部（２６）が腹側の支持溝部（２７）の底壁部（３１）と前記規制壁部（３７）とに面するとともに、刃板（１６）の背側が背側の支持溝部（２８）の底壁部（３５）に面する。
【００３０】
前記保持体（３８）は、腹側の支持溝部（２７）の底壁部（３１）と規制壁部（３７）と背側の支持溝部（２８）の底壁部（３５）とに載せられた状態で、刃板（１６）の顎部（２６）を載置面（１３）との間で挟持し得る。
【００３１】
第７の発明では、柄（１９）付近で刃板（１６）を保持体（３８）により挟持することにより、載置台（２）上で刃物（１５）を確実に保持することができる。
【００３２】
【発明の実施の形態】
まず、本発明の第１実施形態にかかる刃物包装ケースについて図１〜５を参照して説明する。
【００３３】
図１（ａ）（ｂ）に示す刃物包装ケースは、透明なプラスチックにより成形された外カバー１と、この外カバー１内に収容されたプラスチック製の載置台２とを備えている。この外カバー１は、厚み方向Ｚで相対向する表壁４及び裏壁５と、幅方向Ｙで相対向する両側壁６，７とにより筒状をなして長手方向Ｘへ延びる収容筒３を備えている。この収容筒３の上下両側は上壁８と下壁９とにより開閉し得る。この載置台２は、その裏側で外カバー１の裏壁５に重ねられ、下半部の柄載置部１０と上半部の刃板載置部１１とに区分される。この柄載置部１０の表側には凹所１２が外カバー１の表壁４に面して形成され、この凹所１２には指掛凹部１２ａが切り欠いて形成されている。この刃板載置部１１の表側には載置面１３が外カバー１の表壁４に面して形成されている。この刃板載置部１１において載置面１３と柄載置部１０の凹所１２との境界部で保持体位置決め部１４が形成されている。
【００３４】
刃物１５は、刃板本体１７と中子１８とからなる刃板１６と、この刃板１６の中子１８に取り付けられた柄１９とを備えている。この刃板本体１７で厚み方向Ｚの両側面２０，２１のうち一方の側面２０と、この中子１８で厚み方向Ｚの両側面２２，２３のうち一方の側面２２とが、それぞれ前記刃板載置部１１の載置面１３に載置されるとともに、この柄１９が前記柄載置部１０の凹所１２に嵌め込まれる。この刃板本体１７においては、腹側に形成された刃縁２４が長手方向Ｘに沿って延設されているとともに、この刃縁２４に対し幅方向Ｙで反対側になる背側に背縁２５が長手方向Ｘに沿って延設され、中子１８から腹側に延びる顎部２６が中子１８に対し段差状をなすように形成されている。
【００３５】
図２（ａ）（ｂ）に示す前記載置台２の保持体位置決め部１４は、幅方向Ｙの両側で載置台２に形成された腹側の支持溝部２７と背側の支持溝部２８とを備えている。図３、図４及び図５（ａ）（ｂ）（ｃ）に示すように、腹側の支持溝部２７では、両支持壁部２９，３０が底壁部３１上の支持空間３２をあけて長手方向Ｘの両側で相対向して形成されている。同じく、背側の支持溝部２８では、両支持壁部３３，３４が底壁部３５上の支持空間３６をあけて長手方向Ｘの両側で相対向して形成されている。これらの支持空間３２，３６は、厚み方向Ｚで外カバー１の表壁４に向けて開放されているとともに、幅方向Ｙの両側へ開放されている。また、腹側の支持溝部２７では、規制壁部３７が底壁部３１から背側の支持溝部２８に向けて延設されている。
【００３６】
前記刃物１５において柄載置部１０の凹所１２に嵌め込まれた柄１９は、その凹所１２の外周内面により、長手方向Ｘと幅方向Ｙとへ移動するのを規制されるとともに、外カバー１の表壁４により、凹所１２から抜ける向きＺＦへ移動するのを規制される。
【００３７】
前記刃物１５で刃板載置部１１の載置面１３に載置された刃板１６においては、顎部２６及び中子１８の腹側が腹側の支持溝部２７の底壁部３１と規制壁部３７とに面するとともに、刃板本体１７の背縁２５及び中子１８の背側が背側の支持溝部２８の底壁部３５に面する。
【００３８】
図１（ａ）（ｂ）及び図２（ａ）に示す保持体３８は、透明なプラスチックにより成形され、図３、図４及び図５（ａ）（ｂ）（ｃ）に示すように主体部３９と両鍔部４０，４１とからなる。この主体部３９は、裏側の底壁部４２と、長手方向Ｘで相対向する両壁部４３，４４と、幅方向Ｙで相対向する両壁部４５，４６とにより中空状に成形され、底壁部４２に面する表側で開放されている。この両鍔部４０，４１は、主体部３９の表側で両壁部４３，４４から突出している。前記主体部３９の底壁部４２には主体部３９の壁部４５の付近で凸部４７が突設されている。
【００３９】
前記保持体３８の主体部３９は腹側の支持溝部２７の支持空間３２と背側の支持溝部２８の支持空間３６とに挿入され、この主体部３９の底壁部４２が各支持空間３２，３６で底壁部３１，３５に載せられるとともに規制壁部３７に載せられる。そのため、この保持体３８は、主体部３９の両壁部４３，４４が各支持壁部２９，３０，３３，３４に当接して長手方向Ｘへ移動するのを規制されるとともに、主体部３９の両壁部４５，４６が外カバー１の両側壁６，７に当接して幅方向Ｙへ移動するのを規制される。また、前記保持体３８の両鍔部４０，４１は腹側の支持溝部２７の両支持壁部２９，３０と背側の支持溝部２８の両支持壁部３３，３４とにそれぞれ載せられた状態でこれらの支持壁部２９，３０，３３，３４と外カバー１の表壁４との間で挟持される。そのため、この保持体３８は、厚み方向Ｚで刃板１６の側面２１，２３から離れる向きＺＦへ移動するのを規制される。このようにして位置決めされた保持体３８においては、刃板本体１７の顎部２６で、主体部３９の底壁部４２が刃板本体１７の側面２１の背側を押さえるとともに、中子１８の側面２３を押さえ、主体部３９の凸部４７がこの底壁部４２に対し隙間Ｓが生じる刃板本体１７の側面２１の腹側を押さえる。
【００４０】
刃物１５を載置した載置台２を外カバー１から取り出した状態で、保持体３８を厚み方向Ｚで刃板１６の側面２１，２３から離れる向きＺＦへ載置台２の位置決め部１４から離脱させると、刃板１６に対する保持体３８の押さえがなくなる。そのため、指掛凹部１２ａに入れた指により凹所１２内の柄１９を把持して刃物１５を載置台２から取り出すことができる。また、外カバー１から取り出した載置台２に刃物１５を載置した状態で、保持体３８を載置台２の位置決め部１４に挿入して位置決めすると、刃板１６が保持体３８により押さえられる。そのため、刃物１５が載置された状態で保持体３８が位置決めされた載置台２を外カバー１内に収容すると、外カバー１内で載置台２に対し刃物１５を保持体３８により保持することができる。このようにして刃物１５を載置台２から取り出したり載置台２に保持したりする際、保持体３８を載置台２の位置決め部１４に対し簡単に着脱させることができる。なお、この保持体３８は載置台２の位置決め部１４で幅方向Ｙへ移動し得る。
【００４１】
この第一実施形態で腹側の支持溝部２７の支持空間３２と背側の支持溝部２８の支持空間３６とにおいて、外カバー１の両側壁６，７に面する側を閉塞壁部（図示せず）により閉塞してもよい。保持体３８は、この閉塞壁部により、幅方向Ｙへ移動するのを規制される。
【００４２】
図６（ａ）（ｂ）に示す第２実施形態の保持体３８では、第１実施形態の保持体３８において、両鍔部４０，４１が省略されているとともに、主体部３９内が中実状態になっている。そのほかは第１実施形態と同様である。
【００４３】
図７（ａ）（ｂ）に示す第３実施形態では、第１実施形態の保持体３８と同一形態の保持体３８が表裏逆に配置され、位置決め部１４で腹側と背側とにおいてそれぞれ形成された支持突部４８，４９に保持体３８の主体部３９が被せられている。この保持体３８の両鍔部４０，４１は刃板１６の顎部２６及びその付近で刃板本体１７の側面２１及び中子１８の側面２３に当てがわれる。この両鍔部４０，４１には第一実施形態の凸部４７に該当する凸部４７が形成されている。この保持体３８は、両支持突部４８，４９との当接により、長手方向Ｘへ移動するのを規制されるばかりではなく幅方向Ｙへ移動するのを規制され、外カバー１の表壁４との当接により、厚み方向Ｚで刃板１６の側面２１，２３から離れる向きＺＦへ移動するのを規制される。
【００４４】
図８（ａ）（ｂ）に示す第４実施形態では、保持体３８内が中実状態になっているとともに、保持体３８には幅方向Ｙの両側で支持凹部５０，５１が形成され、位置決め部１４で腹側と背側とにおいてそれぞれ形成された支持突部５２，５３にこの保持体３８の両支持凹部５０，５１が係合されている。この保持体３８には長手方向Ｘの両側で第一実施形態の凸部４７に該当する凸部４７が形成されている。この保持体３８は、両支持突部５２，５３との当接により、長手方向Ｘへ移動するのを規制されるばかりではなく幅方向Ｙへ移動するのを規制され、外カバー１の表壁４との当接により、厚み方向Ｚで刃板１６の側面２１，２３から離れる向きＺＦへ移動するのを規制される。
【００４５】
図９（ａ）（ｂ）及び図１０，１１に示す第５実施形態では、前記載置台２を外カバー１内に収容した状態で、それらの間に中台紙５４が嵌め込まれている。この中台紙５４は、載置台２の裏側と外カバー１の裏壁５との間に介在された裏板部５５と、載置台２の一側部と外カバー１の一側壁６との間に介在された側板部５６と、載置台２の表側と外カバー１の表壁４との間に介在された上下両表板部５７とにより、断面コ字形状をなしている。下側の表板部５７の一部は前記保持体３８の両鍔部４０，４１と外カバー１の表壁４との間に介在されてこの両鍔部４０，４１の一部を押さえている。前記中台紙５４は、前記裏板部５５や側板部５６や表板部５７のほかに、載置台２の上下両側と外カバー１の上下両壁８，９との間に介在された上下両板部（図示せず）も備えている。外カバー１の下壁９を開いてこの中台紙５４の下板部（図示せず）を掴めば、載置台２を外カバー１から容易に取り出すことができる。中台紙５４には刃物１５等に関する説明文や図柄が透明な外カバー１の外側から見えるように付されている。
【００４６】
なお、前記保持体３８については、一つの形態のものばかりではなく、例えば幅方向Ｙで分割された形態のものも含む。また、外カバー１については、筒状形態のものばかりではなく、例えば従来技術と同様に下箱と蓋箱とからなるものも含む。
【図面の簡単な説明】
【図１】（ａ）は第１実施形態にかかる刃物包装ケースを正面側から見た断面図であり、（ｂ）は同じく側面側から見た断面図である。
【図２】（ａ）は図１（ａ）に示す刃物包装ケースを正面側から見た部分拡大断面図であり、（ｂ）は（ａ）で保持体を取り外した状態を示す部分拡大断面図である。
【図３】図２（ａ）のＡ−Ａ線部分断面図である。
【図４】図２（ａ）のＢ−Ｂ線部分断面図である。
【図５】（ａ）は図２（ａ）のＣ−Ｃ線部分断面図であり、（ｂ）は図２（ａ）のＤ−Ｄ線部分断面図であり、（ｃ）は図２（ａ）のＥ−Ｅ線部分断面図である。
【図６】（ａ）は第２実施形態にかかる刃物包装ケースを正面側から見た部分拡大断面図であり、（ｂ）は（ａ）のＦ−Ｆ線部分断面図である。
【図７】（ａ）は第３実施形態にかかる刃物包装ケースを正面側から見た部分拡大断面図であり、（ｂ）は（ａ）のＧ−Ｇ線部分断面図である。
【図８】（ａ）は第４実施形態にかかる刃物包装ケースを正面側から見た部分拡大断面図であり、（ｂ）は（ａ）のＨ−Ｈ線部分断面図である。
【図９】（ａ）は第５実施形態にかかる刃物包装ケースを正面側から見た断面図であり、（ｂ）は（ａ）に示す刃物包装ケースを正面側から見た部分拡大断面図である。
【図１０】図９（ｂ）のＩ−Ｉ線部分断面図である。
【図１１】図９（ｂ）のＪ−Ｊ線部分断面図である。
【符号の説明】
１…外カバー、２…載置台、４…表壁、５…裏壁、６，７…側壁、１２…凹所、１３…載置面、１４…保持体位置決め部、１５…刃物、１６…刃板、１８…中子、１９…柄、２０，２１…刃板の側面、２２，２３…中子の側面、２４…刃縁、２６…顎部、２７…腹側の支持溝部、２８…背側の支持溝部、２９，３０…支持壁部、３２…支持空間、３３，３４…支持壁部、３６…支持空間、４０，４１…鍔部、Ｘ…長手方向、Ｙ…幅方向、Ｚ…厚み方向、ＺＦ…向き。
【図１】
2004292002.tif 000003
【図２】
2004292002.tif 000004
【図３】
2004292002.tif 000005
【図４】
2004292002.tif 000006
【図５】
2004292002.tif 000007
【図６】
2004292002.tif 000008
【図７】
2004292002.tif 000009
【図８】
2004292002.tif 000010
【図９】
2004292002.tif 000011
【図１０】
2004292002.tif 000012
【図１１】
2004292002.tif 000013